(57)【要約】【課題】本発明は、自国語を使用して特定ドメインネームに容易にアクセスできるネットワークシステム及び接続方法を提供することを目的とする。【解決手段】リアルネームがドメインネームまたはＩＰアドレスに対応して保存されているリアルネームデータベースと、このデータベースと連結され、クライアントコンピューターから入力文字列がドメインネームのときは通常のドメインネームサーバとして機能し、入力文字列がリアルネームの場合にはそれに基づいてリアルネームデータベースを検索して対応するＩＰアドレスをクライアントコンピューターに提供するリアルネームサーバとを含み、クライアントコンピューターには、以前に設定されていたドメインネームサーバのアドレスをリアルネームサーバのアドレスに変更させて使用者の入力文字列をリアルネームサーバに伝送するリアルネームプログラムが設置されていることを特徴とする。【選択図】　　図１
2004110080.tif 000002
【特許請求の範囲】
【請求項１】
複数のクライアントコンピューターがネットワークを通じて接続されるコンピューターネットワークシステムにおいて、
リアルネームがドメインネームまたはＩＰアドレスに互いに対応して保存されているリアルネームデータベースと、
前記リアルネームデータベースと連結され、前記クライアントコンピューターから入力される文字列がドメインネームである場合には通常のドメインネームサーバとして機能し、前記クライアントコンピューターから入力される文字列がリアルネームである場合には前記リアルネームに基づいて前記リアルネームデータベースを検索して対応するＩＰアドレスを検索して前記ＩＰアドレスを前記クライアントコンピューターに提供するリアルネームサーバとを含み、
前記クライアントコンピューターには、以前に設定されていたドメインネームサーバのアドレスを前記リアルネームサーバのアドレスに変更させて使用者の入力文字列を前記リアルネームサーバに伝送するリアルネームプログラムが設置されていることを特徴とするコンピューターネットワークシステム。
【請求項２】
前記リアルネームサーバに連結され、前記クライアントコンピューターから入力されたリアルネームが前記リアルネームデータベースには保存されているが実際的なＩＰサーバを有しないドメインネームである場合、前記ドメインネームを前記クライアントコンピューターにリターンするリアルネームウェブサーバをさらに含んでいる請求項１記載のコンピューターネットワークシステム。
【請求項３】
前記リアルネームサーバは、
前記クライアントコンピューターから入力されたリアルネームが実際的なＩＰサーバを有するドメインネームの場合には通常のドメインネームサーバとして機能し、
前記クライアントコンピューターから入力されたリアルネームに対応するＩＰアドレスまたはドメインネームが前記リアルネームデータベースに存在しない場合には第１データフォーマットで保存し、前記クライアントコンピューターから入力されたリアルネームが実際的なＩＰサーバを有しないドメインネームである場合には第２データフォーマットで保存した後、前記リアルネームウェブサーバのＩＰアドレスを前記クライアントコンピューターにリターンすることを特徴とする請求項２記載のコンピューターネットワークシステム。
【請求項４】
前記第１データフォーマットまたは前記第２データフォーマットは使用者の入力文字列と前記クライアントコンピューターのＩＰアドレスに基づいて作成されることを特徴とする請求項３に記載のコンピューターネットワークシステム。
【請求項５】
前記リアルネームウェブサーバは、
前記リアルネームサーバが前記リアルネームウェブサーバのＩＰアドレスを前記クライアントコンピューターにリターンすることによって前記クライアントコンピューターが接続した場合、前記クライアントコンピューターが前記リアルネームサーバから前記第１データフォーマット及び前記第２データフォーマットのうちのいずれのフォーマットに移送されたかを判断して、
前記第１データフォーマットに移送された場合には、前記クライアントコンピューターから入力されたリアルネームを検索サイトに伝送し、
前記第２データフォーマットに移送された場合には、前記クライアントコンピューターから入力されたリアルネームに対応するドメインネームを前記クライアントコンピューターにリターンすることを特徴とする請求項３または４記載のコンピューターネットワークシステム。
【請求項６】
複数のクライアントコンピューターがネットワークを通じて接続されるコンピューターネットワークシステムにおいて、
リアルネームがドメインネームまたはＩＰアドレスに互いに対応して保存されているリアルネームデータベースと、
前記リアルネームデータベースと連結され、前記クライアントコンピューターから入力される文字列がドメインネームである場合には通常のドメインネームサーバとして機能し、前記クライアントコンピューターから入力される文字列がリアルネームである場合には前記リアルネームに基づいて前記リアルネームデータベースを検索して対応するＩＰアドレスを検索して前記ＩＰアドレスを前記クライアントコンピューターに提供するリアルネームサーバと、
前記リアルネームサーバに連結され、前記クライアントコンピューターから入力されたリアルネームが前記リアルネームデータベースには保存されているが実際的なＩＰサーバを有しないドメインネームである場合、前記ドメインネームを前記クライアントコンピューターにリターンするリアルネームウェブサーバとを含んでいるコンピューターネットワークシステム。
【請求項７】
前記リアルネームサーバは、
前記クライアントコンピューターから入力されたリアルネームが実際的なＩＰサーバを有するドメインネームの場合には通常のドメインネームサーバとして機能し、
前記クライアントコンピューターから入力されたリアルネームに対応するＩＰアドレスまたはドメインネームが前記リアルネームデータベースに存在しない場合には第１データフォーマットで保存し、前記クライアントコンピューターから入力されたリアルネームが実際的なＩＰサーバを有しないドメインネームである場合には第２データフォーマットで保存した後、前記リアルネームウェブサーバのＩＰアドレスを前記クライアントコンピューターにリターンすることを特徴とする請求項６記載のコンピューターネットワークシステム。
【請求項８】
前記第１データフォーマットまたは前記第２データフォーマットは使用者の入力文字列と前記クライアントコンピューターのＩＰアドレスに基づいて作成されることを特徴とする請求項７記載のコンピューターネットワークシステム。
【請求項９】
前記リアルネームウェブサーバは、
前記リアルネームサーバが前記リアルネームウェブサーバのＩＰアドレスを前記クライアントコンピューターにリターンすることによって前記クライアントコンピューターが接続した場合、前記クライアントコンピューターが前記リアルネームサーバから前記第１データフォーマット及び前記第２データフォーマットのうちのいずれのフォーマットに移送されたかを判断して、
前記第１データフォーマットに移送された場合には、前記クライアントコンピューターから入力されたリアルネームを検索サイトに伝送し、
前記第２データフォーマットに移送された場合には、前記クライアントコンピューターから入力されたリアルネームに対応するドメインネームを前記クライアントコンピューターにリターンすることを特徴とする請求項７または８記載のコンピューターネットワークシステム。
【請求項１０】
リアルネームがドメインネームまたはＩＰアドレスに互いに対応して保存されているリアルネームデータベースと、クライアントコンピューターにネットワークを通じて接続されるリアルネームサーバとを含むコンピューターネットワークシステムの接続方法において、
前記クライアントコンピューターに設置されるリアルネームプログラムが前記クライアントコンピューターに設定されていたドメインネームサーバのアドレスを前記リアルネームサーバのアドレスに変更させる第１段階と、
前記リアルネームサーバが前記クライアントコンピューターから入力される文字列がリアルネームであるか否かを判断する第２段階と、
前記文字列がドメインネームである場合には通常のドメインネームを処理するルーチンを遂行し、前記文字列がリアルネームである場合には前記リアルネームサーバが前記リアルネームデータベースを検索して前記リアルネームに該当するＩＰアドレスを抽出する第３段階と、
前記リアルネームサーバが前記ＩＰアドレスを前記クライアントコンピューターに提供する第４段階とを含んでいることを特徴とするコンピューターネットワーク接続方法。
【請求項１１】
前記クライアントから入力されたリアルネームが前記リアルネームデータベースには保存されているが実際的なＩＰサーバを有しないドメインネームである場合、前記リアルネームサーバが前記クライアントコンピューターをリアルネームウェブサーバに接続させる第５段階と、
前記リアルネームウェブサーバが前記入力されたリアルネームに対応するドメインネームを前記クライアントコンピューターにリターンする第６段階とをさらに含んでいることを特徴とする請求項１０記載のコンピューターネットワーク接続方法。
【発明の詳細な説明】
【０００１】
【発明の属する技術分野】
本発明はコンピューターネットワークシステム及びコンピューターネットワーク接続方法に関するものであり、特に自国語を使用して特定ドメインネームにアクセスすることができるようにするコンピューターネットワークシステム及びコンピューターネットワーク接続方法に関するものである。
【０００２】
【従来の技術】
インターネット（Ｉｎｔｅｒｎｅｔ）とは、単に幾数コンピューターが集まり構成されたものではなく、互いに異なる複数の種類のコンピューター等のネットワーク等が互いに連結され形成された巨大な連結網であると言える。このようにインターネットに連結された各コンピューター等は互いに識別する為の手段が必要であり、これが所謂インターネットに連結された各コンピューターに対する物理的なＩＰアドレスとなる。しかし、このような物理的なアドレスは２５５を越えぬ数字等で形成される四つのグールプによって構成されているので（例えば、１３４．７８．２３８．９９　）使用者の立場においてはこの様な数字列を記憶するのが非常に難難しく自分が必要とする物理的なアドレスを必要とする時毎に使うと言うのは非常に煩わしいことになる。従って、一般的には物理的なアドレスを直接利用して各コンピューターに接続する代りにこれを記憶し易い文字列の組合と一対一に対応させその文字列を入力すれば該当する物理的ＩＰアドレスを有するコンピューターに連結されるようにする方式が使用される。この如く物理的なアドレスの代りに使用される文字等の組合が所謂ドメインネーム（ｄｏｍａｉｎ　ｎａｍｅ）　である。
【０００３】
結局、ドメインネームとは、ネットワークに連結されたコンピューターのインターネット上におけるアドレスを示すものであり、通常的にそのコンピューターの特性又は地理的位置等を表示する識別者によって構成される。例えば、一般的に使われる電子メイル（Ｅ−ｍａｉｌ）のアドレスを通じ察すればｊａｍｅｓ　＠ＡＢＣ．ｃｏ．ｋｒ　中においてＡＢＣ．ｃｏ．ｋｒ　が実質的なドメインネームとなり、これをＵＲＬ（Ｕｎｉｆｏｒｍ　Ｒｅｓｏｕｒｃｅ　Ｌｏｃａｔｉｏｎ）　面にて考察すればＨｔｔｐ：／／ｗｗｗ．ＡＢＣ．ｃｏ．ｋｒ　の中でＡＢＣ．ｃｏ．ｋｒ　部分が実質的なドメインネームになる。
【０００４】
従って、各コンピューターの物理的なアドレスの代りにドメインネームを使うためには誰かが各コンピューターの物理的アドレスとドメインネームを対応させてやる機能を遂行することが必要であり、インターネットに連結された各コンピューターはこの如き機能を遂行するコンピューターシステム、即ち、ドメインネームサーバ（ＤＮＳ：Ｄｏｍａｉｎ　Ｎａｍｅ　Ｓｅｒｖｅｒ）と連関されている。
【０００５】
但し、近来大いに利用されているウェブホスティングサービス（ｗｅｂｈｏｓｔｉｎｇ　ｓｅｒｖｉｃｅ）（即ち、ドメインネームに対応する実質的なホストコンピューターを有してはいないけれど、ドメインネームの登録を受けようとする者に自分のホストコンピューターを使用して登録を受け得るようにしてやるサービス）業体を利用して登録されたドメインネームの場合は必ずドメインネームと物理的アドレスが一対一対応をするとは見られないのである。
【０００６】
以下では図１を参照し、ドメインネームサーバに特定コンピューターの物理的なアドレスを問うクライアントコンピューター（ｃｌｉｅｎｔ　ｃｏｍｐｕｔｅｒ）　とドメインネームサーバ間の一般的な動作関係を説明する。
【０００７】
先ず、クライアントコンピューター（例えば、ＡＢＣ．ｃｏ．ｋｒ　）にて特定アドレスを有する該当ウェブサイト（　例えば、ｗｗｗ．ＤＥＦ．ｃｏ．ｋｒ）に対するＩＰアドレス確認を自分のドメインネームサーバ１（１１０）　に要請すれば（ステップ１）該ドメインネームサーバ１（１１０）　は該当ＩＰアドレスを管掌する登録機関のサーバ（１２０）　等に問合せ（ステップ２）し、該当ＩＰアドレスを受け（ステップ３）、前記ウェブアドレスに関連されるドメインネームサーバ２（１３０）　に接続（ステップ４）した後、ドメインネームサーバ２（１３０）　の助けで所望のウェブサイト（ｗｅｂｓｉｔｅ）のアドレスを得られ、これをリターンさせ受けることになる（ステップ５）。リターンされたウェブサイトのＩＰアドレスがクライアントコンピューターへリターンされれば（　ステップ６）　、クライアントコンピューターは所望のウェブサイト（例えば、ＤＥＦ．ｃｏ．ｋｒ　）に接続されることになる（ステップ７）。
【０００８】
即ち、各ドメインネームサーバはクライアントコンピューターからＩＰアドレス要請を接受すればこれを登録機関等のサーバに問合せて結果的に得たＩＰアドレス値をリターンする機能を遂行する。
【０００９】
このような方式において、ドメインネーム自体は一定の規則に従って作られた英文字の組合であるので、韓国又は日本国、中国等、非英語圏国家の国民達は英語圏国家に比べ相対的に覚え難い英文ドメインネームを知らなければ該当サイトに接続できない不便さがある。
【００１０】
勿論、通常のブラウザはブックマーク（ｂｏｏｋｍａｒｋ）機能又は好み捜索し機能を使用して一度訪問した場所のアドレスを貯蔵して置き、後にこれを再び利用できるようにする機能を提供するので、該当アドレスを管理するにおいて、必要な自国語にてコメントを付加することにより不便を多少減らすことはできるが、使用者が個人的にＩＰアドレスをハングルと関連付け貯蔵し使用するのには限界がある。
【００１１】
従来においても、自国語を利用する方法に対し、解決案を提示した場合があったが、大部分汎用的でなかったか、或いは個人使用者を中心に開発されたのに過ぎなかった。例えば、ハングルでなされた独立されたドメインを与える方法（　例えば、“青瓦台．韓国”）　は外国人としてハングルドメインネームのみで構成されたサイトには接続できないので、その効用性がなく、又、英文ドメインネームの後ろにハングル氏名を付けて移動するようにする方式（　例えば、”ｗｗｗ．ａｂｃ．ｃｏ．ｋｒ／青瓦台”）　は使用者のシステムにある特別な設定とかドメインネームサーバの設定の必要がないと言うのが利点であるが、このようなサービスをする為に数多いデータベースをディレクトリにて管理する必要があるので、これに伴う負荷が大きく、又、既存のドメインサーバ体系とは多少無関なるものであるので、ハングル氏名を通じたテルネット、ＦＴＰの如き其の他ドメインネームサーバサービスに適用できない問題点がある。
【００１２】
【発明が解決しようとする課題】
本発明は、前述の問題を解決し、自国語（　以下、“ハングル”に限定して説明する）　を使用して手易く特定ドメインネームにアクセスできるようにするネットワークシステム及び接続方法を提供することを目的とする。
【００１３】
本発明の別の目的は、特定ドメインネームを自国語で入力し訪ねて行くことができるようすることにおいて、ウェブホスティング業体によりサービスされるドメインネームもこれを直接訪ねて行くようにするネットワークシステム及び接続方法を提供するにある。
【００１４】
本発明の更に他の目的は特定ドメインネームを自国語で入力し捜すことができない場合にはリアルネームウェブサーバにより検索サイト（　インターネット上の検索サイト又は検索エンジン）　に入力文字列を伝送して利用者がクライアントコンピューター上において検索結果を選択してより迅速に所望のサイトに移動できるようにすることにある。
【００１５】
【課題を解決するための手段】
前述の如き目的を達成する為の本願発明の構成は次のとおりである。
【００１６】
複数のクライアントコンピューターと複数のドメインネームサーバが連結されて構成されたコンピューターネットワークシステムにおいて、リアルネームとドメインネーム又はＩＰアドレスが互いに対応されるよう多数貯蔵されているリアルネームデータベースと；リアルネームデータベースと連結されクライアントコンピューターからの要請により伝送された文字列がドメインネームである場合には通常のドメインネームサーバとして機能し、自国語であるか、一般英文字列である場合には、リアルネームデータベースを検索して対応するＩＰアドレスをクライアントコンピューターにリターンさせるリアルネームサーバと；クライアントコンピューターにおいて設置され、先に設定されていたドメインネームサーバをリアルネームサーバに変更させ、使用者の入力文字列をリアルネームサーバで伝送するプログラム手段と；リアルネームサーバへ連動し動作して、リアルネームサーバから接続が導かれたクライアントコンピューターの入力文字列を確認し、接続が導かれた環境に合わせ必要な情報を提供するリアルネームウェブサーバを含む。
【００１７】
尚、入力プログラムが実行される複数のクライアントコンピューターとドメインネームサーバで使用される複数のコンピューターが連結されて構成されたコンピューターネットワークを接続する方法において、入力プログラムが実行されるクライアントコンピューターにおいてそのドメインネームサーバを特定リアルネームサーバにて変更させ、活性化された入力窓に使用者が入力した文字列をリアルネームサーバで伝送するステップと；リアルネームサーバがクライアントコンピューターの要請により伝送された入力文字列がドメインネームである場合には通常のドメインネーム提供の為のルーチンを実行させ、自国語であるか、一般英文字列である場合にはその様な文字列に対し、リアルネームサーバに含まれたリアルネームデータベースを検索して対応するＩＰアドレスをクライアントコンピューターへリターンさせるステップと；リアルネームサーバに連動し動作するリアルネームウェブサーバが、リアルネームサーバからの接続が導かれたクライアントコンピューターの入力文字列を確認し、接続が導かれた環境に合わせて必要な情報を提供するステップを含む。
【００１８】
【発明の実施の形態】
以下に、本発明に対する望ましい実施例に関し、図面を参照して説明する。
【００１９】
先ず、クライアントコンピューターの動作を示す図２を参照して考察する。
【００２０】
本明細書において使用するリアルネーム（ｒｅａｌ　ｎａｍｅ）　という用語は韓国語、中国語、日本国語又は英語等の言語で成された会社名、商号名又はサービス標等の実際名を称する。
【００２１】
クライアントコンピューターにおいては通常的なブラウザを駆動する以前に先ず、リアルネームサーバを支援する為の入力プログラムを実行させる（　ステップ２１０）。この入力プログラムが実行されれば、先ず、クライアントコンピューターシステムのドメインネーム設定をリアルネームサーバのＩＰアドレスにて設定する（　ステップ２２０）。具体的な設定内容は使用される運営体系（ＯＳ）の種類により相異であるが、例えば、クライアントコンピューターにおいて使用される運営体制がウィンドウ９５又はウィンドウ９８である場合には、システムレジストリの“マイコンピューター＼ＨＫＥＹ＿ＬＯＣＡＬ＿ＭＡＣＨＩＮＥ＼Ｓｙｓｔｅｍ＼ＣｕｒｒｅｎｔＣｏｎｔｒｏｌＳｅｔ　＼Ｓｅｒｖｉｃｅｓ＼ＶｘＤ　＼ＭＳＴＣＰ　”のネームサーバ値としてリアルネームサーバのアドレスを追加する方式で実現できる。また、前述の設定時には、既存の使用していたドメインネームアドレス値を予めバックアップしておいていて、クライアント入力プログラムの終了と共に元来の値を復旧するようにしてクライアントコンピューターシステムの基本的使用においては何等の変化をもたらせないようにするのが望ましい。この如き設定が終われば入力窓が活性化され、この入力窓に望む単語（自国語を含む）を入力できる状態になる（ステップ２３０　）。この時、使用者が入力することになれば、クライアントコンピューターはリアルネームサーバでこの入力内容を伝送し（ステップ２４０　）、リアルネームサーバより情報を受信する（ステップ２５０　）。リアルネームサーバから情報が受信されると共に入力プログラムと関連され設定された基本ブラウザが実行され該当サイトに接続される（　ステップ２６０）。
【００２２】
前記基本ブラウザが実行中の間のみならず、ブラウザが終了された以後にも画面の一部分には前記入力プログラムが常駐しており、前記入力プログラムに文字列を入力することになれば、再び基本ブラウザが実行される。一方、ステップ２７０　において、前記入力プログラムの実行が終了したと判断されれば（ステップ２７０　）初期に設定されたシステムのリアルネームサーバへの設定は解除され元来のドメインネームサーバアドレスに戻される（ステップ２８０　）。
【００２３】
前述の基本ブラウザとしては、通常的に使用されるネッスケープ、エキスプロラー等が全て使用されることができ、ひいては前述の入力プログラムを別途に使用しなくとも、その機能を内包しているブラウザを利用して本発明を実施することも可能である。
【００２４】
次に、図３及び図４を参照してリアルネームサーバの動作に関して説明する。リアルネームサーバは、基本的なドメインネームサーバとして機能する為の初期作業を遂行（ステップ３００））した後、自体のリアルネームデータベースと接続し（ステップ３０５））、クライアントコンピューターよりの接続要請を待機する状態にて待つ（ステップ３１０））。ここでリアルネームデータベースはリアルネーム（例えば、気象庁）とインターネットアドレスと互いに対応するように多数貯蔵されている。インターネットアドレスはＩＰアドレス（例えば、２０３，　２４７，　６６，　４２）、ドメインネーム（例えば、ｈｔｔｐ／／ｗｗｗ．ｋｍａ．ｇｏ．ｋｒ　）又はウェブハウジングアドレス（サーブドメインネーム）（例えば、ｈｔｔｐ／／ｗｗｗ．ｋｍｇ．ｇｏ．ｋｒ／甲乙丙）であることができる。
【００２５】
次に、クライアントコンピューターより入力された文字列が伝送されたのが判断されれば（　ステップ３２０）、先ず、上記文字列内に“＼”が含まれるかを判別する（　ステップ３３０）。若し、そうであれば、入力文字列を“＼”次の３バイトを一単位としてハングルと認識してステップ３７０　（図４）に移動する。若し、ステップ３３０　における判断結果“＼”を含まないことと判断されれば今度には入力文字列が“．（ｄｏｔ）”を含んでいるかの可否を判断する（　ステップ３５０）。その結果“．”を含んでいれば英文ドメインネームを直接入力したことと判定し、使用者入力文字列をそのまま使用して既存の通常的なドメインネームサーバとしての動作に必要なルーチンが実行される（　ステップ９９）　。しかし、“．”を含んでいないことと判断されれば英文単語を入力したことと見做しステップ３７０　に移動する。
【００２６】
ステップ３７０　では、前記入力文字列を持ってリアルネームデーターベースを検索する。一致されるデータがあることと判別（　ステップ３７１）されば今度は該当ドメインネームが実際的なＩＰサーバを有するドメインネームであるかの可否を判別し（　ステップ３７４）、その結果が“ＹＥＳ　”であれば該当されるドメインネームを抽出（　ステップ３７７）しステップ９９に移動して通常的なドメインネームサーバとして作動する。一方、ステップ３７１　における判断結果が“ＮＯ”である場合には、使用者が入力した文字列及びクライアントのＩＰアドレスを第１のデータフォーマットにて臨時的に貯蔵（　ステップ３７２）した後、リアルネームウェブサーバのアドレスをクライアントにリターンし（　ステップ３７３）、リアルネームウェブサーバを作動させる（　図５のステップ４００）。第１データフォーマットで情報を貯蔵することに対する具現は例えば、接続を要請したクライアントコンピュータのＩＰアドレスをファイル名とし、該当ファイル内に使用者の入力文字列を貯蔵する方式で遂行できる。
【００２７】
ステップ３７４　における判断結果が“ＮＯ”である場合には使用者の入力文字列及びクライアントコンピューターのＩＰアドレスを第２のデータフォーマットで臨時的に貯蔵した後（　ステップ３７５）、リアルネームウェブサーバのアドレスをクライアントコンピューターにリターンし（　ステップ３７６）、リアルネームウェブサーバを作動させる（　図５のステップ４００）。第２データフォーマットで情報を貯蔵するものに対する具現は例えば、クライアントコンピューターのＩＰアドレスをファイル名とし、該当ファイル内には前述の第１データフォーマットの情報と区別する為の特定文字列及び使用者の入力文字列を貯蔵する方式で遂行できる。
【００２８】
次に図５を参照してリアルネームウェブサーバの動作について説明する。
ウェブサーバとしての基本的な動作が開示（　ステップ４００）された後、ウェブサーバはリアルネームデータベースと接続した後（　ステップ４１０）、接続を要請してきたクライアントコンピューターのＩＰアドレスを確認し、リアルネームサーバから移送されてきた接続であるかに対する記録情報を確認する（　ステップ４２０）。次に現在のリアルネームウェブサーバ接続がリアルネームサーバから移送されてきた接続であるかの可否を判断する（　ステップ４３０）。これに対する実行は例えば、接続を要請してきたクライアントコンピューターのＩＰアドレスをウェブサーバ内のファイル名と比較して、そのようなファイル名が現在存在すればリアルネームサーバから移送されてきた接続と判断する。ステップ４３０　において“ＮＯ”と判断さればリアルネームウェブサーバに接続して該当ホームページに連結される。
【００２９】
ステップ４３０における判断結果が“ＹＥＳ”であれば、リアルネームサーバからどのデータフォーマットに移送されたかを判断する（　ステップ４５０）。データフォーマットを確認する作業の実行は例えば、前述の例においてクライアントコンピューターのＩＰアドレスをファイル名として有するファイル内の貯蔵内容の前部分に特定文字列が貯蔵されているかの有否を確認する方式で遂行できる。クライアントコンピューターのＩＰアドレスをファイル名で持つファイルの内容が第１のデータフォーマットでない第２のデータフォーマットである場合には、例えば、ウェブホスティング（　又はウェブハウジング）　の如き場合、リアルネームデータベースを検索し実際ＩＰアドレスを有しているサーバを捜しこれをクライアントコンピューターへリターンして関連サーバにて該当ドメインネームサイトに移動できるようにする（　ステップ４６０）。一方、第１のデータフォーマットである場合にはリアルネームウェブサーバにより関連検索エンジン（　例えば、ネイバー（ＮＡＶＥＲ））で使用者入力文字列を伝達（　ステップ４７０）する。使用者はクライアントコンピューターで作動された検索エンジンの結果である様々のウェブサイト中で所望のウェブサイトをクリックして該当ウェブサイトに接続することになる（　ステップ４８０）。
【００３０】
［産業上の利用可能性］
前述の本発明の構成によれば、英語によってドメインネームを入力した場合のみならず、自国語で入力した場合にも効率的に特定ドメインのコンピューターで一度に移動できるし、又、ウェブホスティングサービスを利用してドメインネームを使用している場合にも該当ドメインネームのウェブページに直接的に一度に利用できる効果が得られると共に、入力された自国語に関連された情報がなくてもそれに関連された検索結果を見せてくれるので、使用者には利用できる最大限の情報をより迅速に提供することのできる効果がある。
【図面の簡単な説明】
【図１】通常的なドメインネームサーバのみを用いる場合において、インターネットに連結された各システム及び各システム間の相互動作を示す図。
【図２】本発明によるネットワークシステムによりクライアントコンピューターにおいて特定コンピューターと接続する一連の動作を示す流れ図。
【図３】本発明によるネットワークシステム中、リアルネームサーバにおいてクライアントが要求した特定コンピューターと接続する為の一連の動作を示す流れ図。
【図４】本発明によるネットワークシステム中、リアルネームサーバにおいてクライアントが要求した特定コンピューターと接続する為の一連の動作を示す流れ図。
【図５】本発明によるネットワークシステム中、リアルネームサーバに連関され作動されるリアルネームウェブサーバの一連の動作を示す流れ図。
【図１】
2004110080.tif 000003
【図２】
2004110080.tif 000004
【図３】
2004110080.tif 000005
【図４】
2004110080.tif 000006
【図５】
2004110080.tif 000007